(57)【要約】本発明は、刃の組立体を有する安全かみそり装置に係る。該組立体は、各々が皮膚に対して接する面を有する２つの案内部材、及び、該２つの案内部材の間に位置決めされる１枚又はそれ以上の刃を有する。各刃の切断端部及び前出の面は、実質的に１つの平面において位置付けられる。当該装置は、刃の組立体に対して接続されるグリップ部を有する。２つの案内部材のうち少なくとも一方の位置は、前出の平面に対して垂直である方向において調整可能である。
2007518510.tif 000002
【特許請求の範囲】
【請求項１】
刃の組立体を有する安全かみそり装置であって、
各々が皮膚に対して接する面を有する２つの案内部材と、前記２つの案内部材の間に位置決めされる１枚又はそれ以上の刃と、を有し、
各刃の切断端部及び前記面は、実質的に１つの平面において位置付けられ、
前記装置は、前記刃の組立体に対して接続されるグリップ部を有し、
前記２つの案内部材のうち少なくとも１つの位置は、前記平面に対して垂直である方向において調整可能である、ことを特徴とする、
安全かみそり装置。
【請求項２】
前記装置のシェービング方向において見られ、前記刃の前方にある前記案内部材は、皮膚の伸張部材であり、
前記シェービング方向において見られ、前記刃の後方にある前記案内部材は、潤滑部材である、
ことを特徴とし、
前記潤滑部材は、前記調整可能な案内部材である、
請求項１記載の安全かみそり装置。
【請求項３】
前記調整可能な案内部材は、前記刃の組立体に対して２つの位置において固定され得る、ことを特徴とする、
請求項２記載の安全かみそり装置。
【請求項４】
前記調整可能な案内部材は、前記２つの位置の間の少なくとも１つの位置において、望ましくは前記２つの位置の間のいずれの位置においても固定され得る、ことを特徴とする、
請求項３記載の安全かみそり装置。
【請求項５】
前記案内部材のうち前記少なくとも一方の前記面は、前記１つの平面における位置において、及び、前記刃の組立体から離れる方向において前記１つの平面から何らかの距離を置かれた位置において固定され得る、ことを特徴とする、
請求項１記載の安全かみそり装置。
【請求項６】
前記２つの案内部材のうち一方のみは、調整可能である、ことを特徴とする、
請求項１記載の安全かみそり装置。
【請求項７】
前記調整可能な案内部材は、包囲する枠において可動に収容され、前記枠は、前記刃の組立体の一部分である、ことを特徴とし、
前記調整可能な案内部材の前記面は、前記枠の外側に延在し、前記枠は、可動である調整手段に対して前記案内部材を前記枠へと押すようスプリング手段を備えられる、
請求項６記載の安全かみそり装置。
【請求項８】
前記調整手段は、前記切断端部に対して平行である方向に置いて置き換えられ得る、ことを特徴とし、
前記調整手段の傾斜面は、前記調整可能な案内部材の対応する傾斜面と協働し、前記調整可能な案内部材が前記調整手段の運動の方向に対して垂直に動く、
請求項７記載の安全かみそり装置。
【請求項９】
安全かみそり装置に対する刃の組立体であって、
各々が皮膚に対して接する面を有する２つの案内部材と、前記２つの案内部材の間に位置決めされる１枚又はそれ以上の刃と、を有し、
各刃の切断端部及び前記面は、実質的に１つの平面において位置付けられ、
前記２つの案内部材のうち少なくとも１つの位置は、前記平面に対して垂直である方向において調整可能である、ことを特徴とする、
刃の組立体。
【発明の詳細な説明】
【技術分野】
【０００１】
本発明は、安全かみそり装置に係る。該装置は、各々が皮膚に対して接する面を有する２つの案内部材、及び、該２つの案内部材の間に位置決めされた１枚又はそれ以上の刃を有する刃の組立体を有する。各刃の切断端部及び前出の面は、実質的に１つの平面において位置付けられ、該装置は、刃の組立体に対して接続されるグリップ部を有する。
【０００２】
本発明はまた、安全かみそり装置に対する刃の組立体に係る。該組立体は、各々が皮膚に対して接する面を有する２つの案内部材、及び、該２つの案内部材の間に位置決めされた１枚又はそれ以上の刃を有する。各刃の切断端部及び前出の面は、実質的に１つの平面において位置付けられる。
【背景技術】
【０００３】
上述された種類の安全かみそり装置及び安全かみそり装置は、一般的に既知である。１枚より多い刃の場合、夫々の切断端部は、互いに対して平行に位置付けられる。望ましくは少なくとも２枚の刃がある。更には、望ましくは、作業中に刃の前面において皮膚に対して接する案内部材は、皮膚伸張部材である。皮膚と皮膚伸張部材との間では、面が皮膚に対して押し付けられる際に、比較的高い摩擦が起きる。結果として皮膚は、刃のシェービング行動を容易にするよう伸張される。刃の後背において皮膚に接する案内部材は、望ましくは潤滑部材である。皮膚と該部材の面との間の摩擦は比較的低い。潤滑部材は、潤滑物質又はそれと同様のものを有し得る。
【０００４】
複数の既知の安全かみそり装置においては、グリップ部は、固定された位置において刃の組立体に対して取り付けられるが、望ましくは、グリップ部は、前出の切断端部に対して平行であるピボット軸の周囲で刃の組立体に対してヒンジ又はピボットし得る。望ましくは、ピボット軸は、前出の１つの平面の近くに、及び、実質的には２つの案内部材の間、望ましくは第１の刃の切断端部の前方に位置決めされる。結果として、刃の組立体は、かみそり装置のグリップ部によって刃に対して押し付けられる際、安定した位置にある。
【０００５】
刃の位置、及び特には刃の切断端部の位置は、刃の組立体の他の部分に関して、特には案内部材において、かみそり装置のシェービングのジオメトリ（ｇｅｏｍｅｔｒｙ）を確定する。切断端部は、２つの案内部材の前出の面を介して前出の平面において実質的に位置決めされる。即ち、切断端部は、前出の平面において、又は該平面の近くに位置決めされる。
【０００６】
シェービングのジオメトリにおける重要なパラメータは、刃が刃の組立体から離れる方向において延在する範囲である。切断端部は、実質的に前出の１つの平面において依然として位置決めされるが、前出の１つの平面に対して異なる距離を有することによって刃の組立体から離れる方向において事実上延在する。それによって刃の切断端部の位置における比較的小さな変化は、かみそり装置のシェービング動作における主要な変化を既にもたらす。実際には、人は、かみそり装置のシェービング動作に関して夫々異なる要望を有することが判っている。各人がかみそり装置の好ましいジオメトリを有するが、シェービングをする人の顔の異なる部分もまた、かみそり装置の異なるジオメトリを求め得る。更には、シェービング作業の頻度、即ちヒゲの長さは、所望されるジオメトリに対して影響を有し得る。
【発明の開示】
【発明が解決しようとする課題】
【０００７】
本発明は、安全かみそり装置及びそれに使用される刃の組立体を与えることを目的とする。該装置及び組立体を用いて、シェービングのジオメトリ、特には刃の組立体の他の部分に対する刃の切断端部の位置は、シェービングする人によって容易に調整され得る。
【課題を解決するための手段】
【０００８】
この目的を達成するよう、本発明に従った安全かみそり装置は、２つの案内部材のうち少なくとも１つの位置が前出の平面に対して垂直である方向において調整可能である、ことを特徴とする。
【０００９】
この目的を達成するよう、本発明に従った刃の組立体は、２つの案内部材のうち少なくとも１つの位置が前出の平面に対して垂直である方向において調整可能である、ことを特徴とする。
【００１０】
案内部材のうち１つを移動する際、切断端部に対する前出の平面の位置は変化し、それによって刃の切断端部と前出の平面との間の距離が変化する。したがって、刃の切断端部が刃の組立体から離れる方向において延在する範囲は、調整される。案内部材のうちの１つの特定の移動が、前出の１つの平面に対する切断端部の位置における更に小さな変化をもたらすため、切断端部の相対位置は、案内部材のうちの１つを動かすことによって非常に正確に調整され得る。
【００１１】
望ましい一実施例では、装置のシェービング方向において見られ、刃の前方にある案内部材は、皮膚伸張部材であり、装置のシェービング方向において見られ、刃の後方にある案内部材は、潤滑部材である。該潤滑部材は、調整可能な案内部材である。潤滑部材がシェービング作業によって摩耗していく場合、潤滑部材の調整は、かかる摩耗を補い得る。
【００１２】
望ましい一実施例では、調整可能な案内部材は、刃の組立体に対する２つの位置において固定され得、望ましくは案内部材は、前出の２つの位置の間の少なくとも１つの位置において、より望ましくは前出の２つの位置の間のいずれの位置においても固定され得る。
【００１３】
望ましくは、案内部材のうち前出の少なくとも１つの面は、前出の１つの平面における位置において、及び、前出の刃の組立体から離れる方向において、及び、前出の１つの平面から何らかの距離を置かれた位置において固定され得る。第１の位置において、切断端部及び両面は、前出の１つの平面において位置決めされ、第２の位置において、調整可能な案内部材の面は、前出の１つの平面の近くだが、依然として実質的には前出の１つの平面において位置決めされる。かかる第２の位置は、かみそり装置のより強引ではないシェービング動作をもたらす。
【００１４】
望ましい一実施例では、前出の２つの案内部材のうち１つのみは、調整可能であり、望ましくは潤滑部材である。該潤滑部材は、刃の切断端部の後方で皮膚に対して接し、潤滑部材と切断端部との間の距離は、伸張部材と切断端部との間の距離より大きいことが頻繁にある。その場合、潤滑部材の面の移動は、刃の切断端部のより小さな相対動作をもたらす。
【００１５】
望ましくは、案内部材は、０．３ｍｍより大きい、望ましくは０．５ｍｍより大きい距離にわたって動かされ得る。かかる比較的大きな移動は、刃の組立体の構造の十分な調整を与える。
【００１６】
望ましい一実施例では、調整可能な案内部材は、包囲する枠において可動に収容され、該枠は、刃の組立体の一部分である。調整可能な案内部材の前出の面は、該枠の外側に延在し、該枠は、枠の内側に位置決めされた可動の調整手段に対して案内部材を枠へと押し付けるスプリング手段を備えられる。望ましくは、前出の調整手段は、切断端部に対して平行である方向において異動され得、前出の調整手段の傾斜面は、調整可能な案内部材の対応する傾斜面と協働し、調整可能な案内部材は、前出の調整手段の動作の方向に対して垂直に動く。この構造は、安全かみそり装置の一例を参照して以下で更に説明される。
【発明を実施するための最良の形態】
【００１７】
本発明に従った安全かみそり装置及び刃の組立体の一実施例は、以下において説明され、図面が参照される。
【００１８】
図面、特に図２，３及び４は、安全かみそり装置の実施例を十分に理解するよう重要である部分のみを示す非常に概略的な図である。
【００１９】
図１に図示する通り、本発明に従った安全かみそり装置の一実施例は、グリップ部１及び刃の組立体２を備えられる。グリップ部１は、シェービングをする人の手によって保持され得る部分３を有し、部分４は、刃の組立体２とのヒンジ接続又はピボット式接続を備えられる。グリップ部１は、部分３と部分４との間に、部分３より広い幅を有する広い部分５を有する。
【００２０】
グリップ部１の部分４は、２つのアーム６を備えられる。アーム６の端部の間には、ピン８があり（図示せず）、該ピンは、刃の組立体２によって係合される。ピンは、刃の組立体２に対するピボット軸を形成する。
【００２１】
刃の組立体２は、図示された実施例においては皮膚伸張部材９である第１の案内部材、及び、図示された実施例においては潤滑部材１０である第２の案内部材を備えられる。皮膚伸張部材９と潤滑部材１０との間には、３つの平行な切断端部１４を有する３つの刃１１，１２，１３がある（図２参照）。３つの刃１１乃至１３は、刃の組立体２における固定位置において取り付けられ、端部１４は、拡張部材９の面及び潤滑部材１０の面を介して平面において実質的に位置付けられる。シェービング作業中、皮膚は、該平面において実質的に位置決めされる。
【００２２】
図２は、刃の組立体２の非常に概略的な断面図である。刃の組立体２は、プラスチック材料で作られたベース１５を有する。伸張部材９と刃１１乃至１３は、ベース１５に対して固定される。ベース１５は、ホルダ１７を包囲する枠１６を更に有し、潤滑部材１０は、該ホルダに対してクランプ手段を用いて取り付けられる。ホルダ１７は、潤滑部材１０と共に、スプリング手段１８によって調整部材１９に対してホルダ１７の内部で下方向に押される。したがって、潤滑部材１０は、図２に図示される通りの位置において保持され、刃１１乃至１３の３つの端部１４、並びに、伸張部材９及び潤滑部材１０の面は、斜線２０を用いて示される平面において全て位置決めされる。
【００２３】
矢印２１によって示される通り、潤滑部材１０は、上方向に動かされ得、その結果ホルダ１７は、スプリング手段１８の力に対して上方向に動かされる。潤滑部材１０の上方向の位置において、伸張部材９及び潤滑部材１０の面を介する平面は、斜線２２によって示される通り、僅かに上方向に動く。それによって、刃１１乃至１３の切断端部１４が前出の平面２２から何らかの距離を置いて位置決めされることは、図２より明確である。伸張部材９及び潤滑部材１０に対して、切断端部１４は、刃の組立体２へと少々引き込まれ、安全かみそり装置のさほど強引ではないシェービング動作を与える。
【００２４】
これによって、切断端部１４と平面２２との間の距離は小さいままであることが強調され、伸張部材９及び潤滑部材１０の面、並びに刃１１乃至１３の切断端部１４は、同一の平面（夫々参照符号２０及び２２）において実質上位置決めされる、と依然として言える。
【００２５】
図３は、図２中の矢印ＩＩＩに従った側面図であり、潤滑部材１９及び包囲枠１６を図示する。包囲枠１６は矩形の開口２３を備えられ、該開口を介してハンドル２４は、枠１６の外側に延在する（図２も参照）。潤滑部材１０は、矢印２５によって示される方向においてハンドル２４を動かすことによって動かされ得る。
【００２６】
図４は、図２中の線ＩＶ−ＩＶに従った断面図である。潤滑部材１０は、ホルダ１７に対して取り付けられ、ホルダ１７は、２つのヘリカルスプリング１８によって調整部材１９に対して押される。調整部材１９を右方向において動かすことによって、傾斜面２６がホルダ１７を、及び、それによって潤滑部材１０を上方向に動かす、ことは明らかである。調整部材１９は、ハンドル２４を用いて動かされ得、ハンドル２４は調整部材１９の一部分である。
【００２７】
面２６の傾斜、並びにホルダ１７及び調整部材１９の材料は、選択され、外力が与えられない際に２つの接触面２６の間の摩擦が面２６の相対運動を防ぐようにする。しかしながら、ハンドル２４を動かすことによって潤滑部材１０は、いかなる所望の位置においても置かれ得る。
【図面の簡単な説明】
【００２８】
【図１】本発明に従った安全かみそり装置の斜視図である。
【図２】図１中の装置において使用される通り、本発明に従った刃の組立体の概略的断面図である。
【図３】図２中の矢印ＩＩＩに従った側面図である。
【図４】図２中の線ＩＶ−ＩＶに沿った断面図である。
【図１】
2007518510.tif 000003
【図２】
2007518510.tif 000004
【図３】
2007518510.tif 000005
【図４】
2007518510.tif 000006
【国際調査報告】
2007518510.tif 000007
2007518510.tif 000008
2007518510.tif 000009